(57)【要約】【課題】安全に切断部材を完全に箱から分離することが容易なフィルム分配ケースおよびフィルム入りケースを提供すること。【解決手段】フィルム２が巻回された巻回体１を収容し、長方形の底板１４と前板１６、後板１８および２枚の脇板２０とを有し、一面２６が開口された箱本体１２と、長方形の蓋板３０であって、蝶番辺６０と蝶番辺と相対する折曲辺６２とを有し、蝶番辺にて後板に回動可能に連接され、開口された面を塞ぐ蓋板と、蓋板に折曲辺にて連接された掩蓋片３２であって、折曲辺と、折曲辺と相対する先端辺６４と、２つの側辺６６とで略長方形に形成された掩蓋片と、フィルムを切断する切断部材５０であって、先端辺に沿って帯状に配設され、帯状の切断部材の長手方向に分布する固着部７８にて掩蓋片に固着される切断部材とを備え、掩蓋片には、側辺から固着部と折曲辺との間を通り先端辺に至る切込線７０・７２が形成されたフィルム分配ケース１０。【選択図】図１
2008280076.tif 000002
【特許請求の範囲】
【請求項１】
フィルムが巻回された巻回体を収容し、長方形の底板と、前記底板の４辺に立設された前板、後板および２枚の脇板とを有し、一面が開口された箱本体と；
長方形の蓋板であって、蝶番辺と前記蝶番辺と相対する折曲辺とを有し、前記蝶番辺にて前記後板に回動可能に連接され、前記開口された面を塞ぐ蓋板と；
前記蓋板に前記折曲辺にて連接された掩蓋片であって、前記折曲辺と、前記折曲辺と相対する先端辺と、２つの側辺とで略長方形に形成された掩蓋片と；
前記フィルムを切断する切断部材であって、前記先端辺に沿って帯状に配設され、該帯状の切断部材の長手方向に分布する固着部にて前記掩蓋片に固着される切断部材とを備え；
前記掩蓋片には、前記側辺から前記固着部と前記折曲辺との間を通り、前記先端辺に至る切込線が形成された；
フィルム分配ケース。
【請求項２】
前記掩蓋片に連接される接合片であって、前記切込線と前記先端辺との間の前記側辺に連接される接合片を備える；
請求項１に記載のフィルム分配ケース。
【請求項３】
前記蓋板の、前記蝶番辺と前記折曲辺とを結ぶ脇辺に連接される側蓋片を備え；
前記折曲辺にて前記蓋板と前記掩蓋片とがほぼ直角に折り曲げられ、前記接合片が前記側蓋片に固着される；
請求項２に記載のフィルム分配ケース。
【請求項４】
前記切断部材が金属製で、前記掩蓋片にかしめ固着される；
請求項１ないし請求項３のいずれか１項に記載のフィルム分配ケース。
【請求項５】
請求項１ないし請求項４のいずれか１項に記載のフィルム分配ケースと；
前記箱本体に収容される巻回体とを備える；
フィルム入りケース。
【発明の詳細な説明】
【技術分野】
【０００１】
本発明は、フィルムが巻回された巻回体を収容し、該フィルムを所望の長さに切断して使用するフィルム分配ケースおよびフィルム入りケースに関し、特に使用後にケースから切断部材を容易に分離出来るようにしたフィルム分配ケースおよびフィルム入りケースに関する。
【背景技術】
【０００２】
食品包装などに用いられる合成樹脂製のラップフィルム、アルミホイル、台所用紙シートなどのフィルムは、一般的にフィルム分配ケースに収容されて販売される。フィルム分配ケースでは、紙製の直方体形状の箱本体にフィルムを収容し、箱本体には開口を覆う蓋板が開閉自在に連接されている。更に蓋板の先端には箱本体の前板と重なり合う掩蓋片が連接している。掩蓋片の先端部には裏側から金属製の切断部材がその鋸歯の刃先を掩蓋片から僅かに突出して設けられている。フィルムの使用に際し、この切断部材を用いてフィルムを所望の長さに切断する。フィルムを使い終わった後に、このフィルム分配ケースを廃棄処理あるいは用紙の再生処理をするためには、金属製の切断部材が設けられているために、切断部材を分離する作業が発生する。ところが、切断部材は鋸歯を有しており、手でつまんで作業をすると、指を傷付ける危険性がある。そこで、掩蓋片に切込線を形成し、切断部材が設けられている部分を分離除去し易くする方法が採用されている（特許文献１参照）。
【特許文献１】特許第２６２７１３９号公報
【発明の開示】
【発明が解決しようとする課題】
【０００３】
しかし、切断部材を含んで分離した部分は、掩蓋片の一部である紙が僅かではあるが残ってしまう。そこで、本発明は、安全に、切断部材を完全に箱から分離することが容易なフィルム分配ケースおよびフィルム入りケースを提供することを目的とする。
【課題を解決するための手段】
【０００４】
上記目的を達成するため、本発明に係る第１の態様としてのフィルム分配ケースは、例えば図１および図２に示すように、フィルム２が巻回された巻回体１を収容し、長方形の底板１４と、底板１４の４辺に立設された前板１６、後板１８および２枚の脇板２０とを有し、一面２６が開口された箱本体１２と；長方形の蓋板３０であって、蝶番辺６０と蝶番辺６０と相対する折曲辺６２とを有し、蝶番辺６０にて後板１８に回動可能に連接され、開口された面２６を塞ぐ蓋板３０と；蓋板３０に折曲辺６２にて連接された掩蓋片３２であって、折曲辺６２と、折曲辺６２と相対する先端辺６４と、２つの側辺６６とで略長方形に形成された掩蓋片３２と；フィルム２を切断する切断部材５０であって、先端辺６４に沿って帯状に配設され、帯状の切断部材５０の長手方向に分布する固着部７８にて掩蓋片３２に固着される切断部材５０とを備え；掩蓋片３２には、側辺６６から固着部７８と折曲辺６２との間を通り、先端辺６４に至る切込線７０・７２が形成されている。なお、掩蓋片がほぼ長方形に形成されたというときには、先端辺６４がＶ形や円弧など、直線に形成されていない場合を含む。
【０００５】
このように構成すると、掩蓋片には、側辺から固着部と折曲辺との間を通り、先端辺に至る切込線が形成されているので、この切込線で掩蓋片の一部を切断・除去し、切断部材の一部をむき出しにできる。むき出しの切断部材を起点とすることで、切断部材を掩蓋片から完全に分離し易くなる。
【０００６】
また、本発明に係る第２の態様としてのフィルム分配ケースでは、例えば図４に示すように、第１の態様としてのフィルム分配ケース１０において、掩蓋片３２に連接される接合片３６であって、切込線７０・７２と先端辺６４との間の側辺６６に連接される接合片３６を備えてもよい。
このように構成すると、接合片をつまんで引っ張ることで、切込線で掩蓋片の一部を切断・除去し、容易に切断部材の一部をむき出しにできる。
【０００７】
また、本発明に係る第３の態様としてのフィルム分配ケースでは、例えば図１および図２に示すように、第２の態様としてのフィルム分配ケース１０において、蓋板３０の、蝶番辺６０と折曲辺６２とを結ぶ脇辺６８に連接される側蓋片３４を備え；折曲辺６２にて蓋板３０と掩蓋片３２とがほぼ直角に折り曲げられ、接合片３６が側蓋片３４に固着されてもよい。
このように構成すると、蓋板と掩蓋片とがほぼ直角に折り曲げられ、接合片と側蓋片とが固着されるので、蓋板と掩蓋片との折り曲げられた形状が安定し、掩蓋片の先端辺に沿って固着された切断部材でフィルムを切断し易くなる。
【０００８】
また、本発明に係る第４の態様としてのフィルム分配ケースでは、例えば図１に示すように、第１ないし第３のいずれかの態様としてのフィルム分配ケース１０において、切断部材５０が金属製で、掩蓋片３２にかしめ固着されてもよい。
このように構成すると、断部材が掩蓋片にかしめ固着されるので、切断部材を掩蓋片から完全に分離し易い。
【０００９】
また、本発明に係る第５の態様としてのフィルム入りケースは、例えば図１に示すように、第１ないし第４のいずれかの態様としてのフィルム分配ケース１０と、箱本体１２に収容される巻回体１とを備える。
このように構成すると、切断部材を掩蓋片から完全に分離し易いフィルム入りケースとなる。
【発明の効果】
【００１０】
本発明によれば、フィルム分配ケースが、フィルムが巻回された巻回体を収容し、長方形の底板と、底板の４辺に立設された前板、後板および２枚の脇板とを有し、一面が開口された箱本体と、長方形の蓋板であって、蝶番辺と蝶番辺と相対する折曲辺とを有し、蝶番辺にて後板に回動可能に連接され、開口された面を塞ぐ蓋板と、蓋板に折曲辺にて連接された掩蓋片であって、折曲辺と、折曲辺と相対する先端辺と、２つの側辺とで略長方形に形成された掩蓋片と、フィルムを切断する切断部材であって、先端辺に沿って帯状に配設され、帯状の切断部材の長手方向に分布する固着部にて掩蓋片に固着される切断部材とを備え、掩蓋片には、側辺から固着部と折曲辺との間を通り、先端辺に至る切込線が形成されているので、切込線で掩蓋片の一部を切断・除去し、切断部材の一部をむき出しにできる。そのため、むき出しの切断部材を起点として、切断部材を掩蓋片から完全に分離し易い。よって、安全に、切断部材を完全に箱から分離することが容易なフィルム分配ケースを提供することができる。
【００１１】
また、本発明によれば、フィルム入りケースが、上記のフィルム分配ケースと、箱本体に収容される巻回体とを備えるので、切断部材を掩蓋片から完全に分離し易いフィルム入りケースとなる。よって、安全に、切断部材を完全に箱から分離することが容易なフィルム入りケースを提供することができる。
【発明を実施するための最良の形態】
【００１２】
以下、図面を参照して、本発明の実施の形態について説明する。なお、各図において、互いに同一又は相当する装置には同一符号を付し、重複した説明は省略する。
【００１３】
図１を参照して、本発明の実施の形態としてのフィルム入りケース１００を説明する。図１は、フィルム入りケース１００を説明するための斜視図である。フィルム入りケース１００では、フィルム分配ケース１０に、フィルム２が巻回された巻回体１を収容している。図１では、フィルム分配ケース１０中の巻回体１を破線で、一部引き出されたフィルム２を一点鎖線で示している。フィルム２としては、合成樹脂製のラップフィルム、アルミホイル、台所用紙シートなど特に限定されない。長尺に形成されたフィルム２は、円筒形の巻芯（不図示）に巻回され、巻回体１としてフィルム分配ケース１０に収容されている。フィルム２は、フィルム分配ケース１０から引き出され、所望の長さで切断されて、それぞれの用途に供される。
【００１４】
フィルム分配ケース１０は、箱本体１２と、箱本体１２に回動可能に接続された蓋板３０と、蓋板３０に接続された掩蓋片３２と、掩蓋片３２に固着された切断部材５０とを備える。箱本体１２は、直方体で一面２６が開口している。図１に示す箱本体１２において、底になる面、すなわち開口された面２６と相対する面の板を底板１４、手前に来る面の板を前板１６、前板１６と相対する面の板を後板１８、前板１６と後板１８とを接続する側面２枚の板を脇板２０と称する。箱本体１２は、細長い直方体で、長手方向ｙでは円筒形の巻回体１の軸方向の長さより僅かに長く、幅方向ｘおよび高さｚでは巻回体１の外径より僅かに長い。そのために、箱本体１２中に巻回体１を中に収容することができる。なお、フィルム２を使用するにつれ、巻回体１の外径は小さくなり、幅方向ｘおよび高さｚでは隙間が大きくなる。
【００１５】
箱本体１２の後板１８の上辺、すなわち蝶番辺６０に蓋板３０が回動可能に連接する。蓋板３０は、開口された面２６を覆うように、開口された面２６とほぼ同じ大きさの、あるいは僅かに大きな面に形成される。蓋板３０の蝶番辺６０と相対する辺である折曲辺６２に掩蓋片３２が連接する。また、蓋板３０にて蝶番辺６０と折曲辺６２とをつなぐ残りの２辺である、脇辺６８に側蓋片３４が連接する。
【００１６】
掩蓋片３２の先端、すなわち折曲辺６２と相対する先端辺６４は、その中央部が凸となった山形、すなわちＶ形に、形成される。先端辺６４は、折曲辺６２に平行な直線で形成されても、折曲辺６２に対し斜めな直線で形成されても、円弧で形成されても、その他任意の曲線で形成されてもよく、その形状は任意である。いずれの場合においても、掩蓋片３２の形状は、略長方形の範疇に含まれるものとする。
【００１７】
掩蓋片３２の先端辺６４に沿って、掩蓋片３２の裏側、すなわち、掩蓋片３２の箱本体１２に面する側に、切断部材５０が固着される。切断部材５０は先端辺６４に沿う帯状の部材で、帯状の切断部材５０の長手方向において、縁に鋸歯が形成されている。切断部材５０は、鋸歯が先端辺６４から僅かに突き出るように配設される。切断部材５０は、帯状の切断部材５０の長手方向に分布する固着部７８により掩蓋片３２に固着される。図中、先端辺６４に沿って分布する複数の丸印で示した部分が固着部７８を表す。固着部７８が帯状の切断部材５０の長手方向に分布しているので、帯状の切断部材５０の全体が安定して掩蓋片３２に固着される。
【００１８】
ここで、図２を参照して、フィルム分配ケース１０の組み立てにつき、説明する。図２は、フィルム分配ケース１０の組み立て前の展開図である。箱本体１２、蓋板３０、掩蓋片３２および側蓋片３４等は、典型的には紙製である。そこで、図２の展開図に示すように打ち抜かれ、折り線を付けられたブランクを用い、折り曲げ接着して組み立てる。前板１６、底板１４、後板１８、蓋板３０および掩蓋片３２が、それぞれ折り線を挟んで順次連接され、一列に配される。掩蓋片３２の先端辺６４（図１参照）には、切取片４０が連接する。すなわち、先端辺６４の形状に沿った、長いミシン目の切り込みの部分である、切取線７６が形成された１枚の板として、掩蓋片３２と切取片４０とが形成されている。そこで、前板１６、底板１４、後板１８、蓋板３０、掩蓋片３２および切取片４０とで、略長方形となる。
【００１９】
前板１６の両脇には折り線を挟んで接着片４２が連接し、底板１４の両脇には折り線を挟んで脇板２０が連接し、後板１８の両脇には折り線を挟んで接着片４４が連接する。また、蓋板３０の両脇には折り線を挟んで側蓋片３４が連接し、掩蓋片３２の両脇には折り線を挟んで接合片３６が連接する。
【００２０】
掩蓋片３２には、裏側から切断部材５０が固着される。切断部材５０は、典型的には金属シートで形成され、かしめにて掩蓋片３２に固着される。例えば、金属シートから円筒状の突起を形成し、突起を掩蓋片３２に差し込んだ上で、突起の先端を曲げて掩蓋片３２に固着する。このようにかしめにより固着すると、金属シートのブランクから切断部材５０をプレス等で抜き取る際に、併せて突起を形成し、フィルム分配ケース１０用の紙製ブランクに裏面から押し付けることにより、接着剤等を用いることなく、容易に固着することができる。ここで、かしめの突起の先端で、曲げられて掩蓋片３２に食い込む部分は小さく形成される。つまり、かしめは外すことが容易なかしめである。なお、裏面とは、フィルム分配ケース１０に組み立てられたときに内側になる面を指し、図２は表側からみた展開図となっている。すなわち、図２の折り線は、いずれも山折となる。
【００２１】
掩蓋片３２には、接合片３６との間の折り線に相当する側辺６６から、ミシン目である第１の切込線７０が形成される。第１の切込線７０は、側辺６６から固着部７８と折曲辺６２との間に、帯状の切断部材５０に沿って延在する。ここで、固着部７８と折曲辺６２との間とは、帯状の切断部材５０の長手方向に分布する複数の固着部７８を連結し（１次近似的に）側辺６６に達する線分を仮定したときに、その仮定した線分と折曲辺６２との間の部分を指す。また、掩蓋片３２には、第１の切込線７０から、同じくミシン目である第２の切込線７２が派生する。第２の切込線７２は、切断部材５０が固着された固着部７８を連結した線分を横断し、先端辺６４に至る。このように、第１の切込線７０と第２の切込線７２とは、互いに交差する方向に延在し、その交点で接続する。接合片３６は、先端辺６４に相当する切取線７６と第１の切込線７０との間で、掩蓋片３２に連接する。
【００２２】
第１の切込線７０と第２の切込線７２とは、必ずしも図２に示すようなＬ形でなくてもよく、例えば、第１の切込線７０の途中に第２の切込線７２が交差したＴ形としてもよく、あるいは、掩蓋片３２の両側の側辺６６からの第１の切込線７０がそれぞれ延長されて１本につながったπ形としてもよい。また、第１の切込線７０と第２の切込線７２とが明確に区別できず、曲線で接続し、あたかも１本の切込線のように形成されてもよく、あるいは、側辺６６から、固着部７８と折曲辺６２との間を通り、先端辺６４に相当する切取線７６に至る直線、すなわち、切取線７６に対して斜めに形成された直線としてもよい。なお、第１の切込線７０および第２の切込線７２は、ミシン目でなく、半切断されていてもよく、あるいは完全に切断されていてもよく、その他切り離しやすく形成されていればよい。ここで、半切断とは、紙製のブランクでは薄いシートを積層した紙を用いるのが一般的であるので、積層した紙の総てではなく、積層した紙の一部が切断されている状態を指し、完全な切断とは積層したすべての紙が切断された状態を指す。第１の切込線７０および第２の切込線７２が完全に切断されていても、第１の切込線７０および第２の切込線７２と切取線７６（先端辺６４）とで囲まれた分離部３８は、切断部材５０に固定され、また切取線７６が完全に切断されていないので、掩蓋片３２の他の部分と分離することはない。
【００２３】
図２に示すブランクから、フィルム分配ケース１０を組み立てるには、各折り線をほぼ直角に折り曲げ、重なる脇板２０、接着片４２、４４を、脇板２０を最外部にして重ねて接着する。脇板２０、接着片４２および接着片４４を接着することにより、底板１４の４辺に前板１６、後板１８および２枚の脇板２０が立設した箱本体１２が形成される。また、重なる側蓋片３４と接合片３６とを、側蓋片３４を外側にして重ねて接着する。側蓋片３４と接合片３６とを接着することにより、蓋板３０と掩蓋片３２とが垂直に連接された形状が安定する。すなわち、それぞれの板３０、３２、３４が垂直に保たれる。脇板２０、接着片４２、４４と、側蓋片３４、接合片３６とを接着しないので、蓋板３０は箱本体１２に、蝶番辺６０を回転中心として回動できる。
【００２４】
図１に戻り、フィルム入りケース１００の使用法について説明する。蓋板３０を開き、開口された面２６を露出させた状態で、巻回体１を箱本体１２に収納し、蓋板３０を閉めて開口された面２６を覆う。その状態で、フィルム入りケース１００として市販されるのが一般的である。輸送中に巻回体１がフィルム分配ケース１０から出てしまうことがないように、例えば切取片４０（図２参照）を前板１６に接着剤を軽く用いて接着させてもよい。フィルム２を使用する前に、使用者は切取片４０の一端を引っ張ることにより、順次切取線７６（図２参照）のミシン目を切断して、切取片４０を取り除く。切取片４０が取り除かれることにより、切断部材５０の鋸歯が掩蓋片３２の先端辺６４から僅かに出た状態となる。
【００２５】
フィルム２を巻回体１から、蓋板３０ならびに掩蓋片３２と前板１６との間を通してフィルム分配ケース１０の外へ引き出す。引き出したフィルム２の長さが所望の長さとなったところで、掩蓋片３２を前板１６に押し付けるように押しつつ、引き出したフィルム２を蓋板３０より上方へ持ち上げるように引く。すると、フィルム２は切断部材５０の鋸歯に強く当接し、切断される。接合片３６と側蓋片３４とが接着されているので、蓋板３０と掩蓋片３２の形状が安定し、フィルム２が切断部材５０に強く当接しても、掩蓋片３２、すなわち切断部材５０が変形することがなく、フィルム２の切断が容易である。このようにして、巻回体１に巻かれた長尺のフィルム２を、所望の長さに切断して使用することができる。
【００２６】
次に、図３〜図７を参照して、使用済みのフィルム分配ケース１０の解体について説明する。まず、図３は、使用済みのフィルム分配ケース１０の展開図である。フィルム２を使い切ったならば、箱本体１２から巻回体１に使用された芯を取り出す。そして、接着された脇板２０、接着片４２および接着片４４の間の接着を剥がし、また、接着された側蓋片３４と接合片３６の間の接着を剥がし、図３の展開図のように１枚のシートに広げる。使用済みのフィルム分配ケース１０では、図２に示す組み立て前のフィルム分配ケース１０と異なり、切取片４０（図２参照）が切り取られている。
【００２７】
続いて、図４に示すように、表を上に、すなわち切断部材５０が下側になるように平らなテーブルなどの上に広げて置く。図４は、接合片３６をつまみ上げる状態でのフィルム分配ケース１０の展開図である。接合片３６を片方の手でつまみ、他の手で残りを押えて、接合片３６を引き上げる。すると、接合片３６は、側辺６６を挟んで掩蓋片３２に連接しているので、掩蓋片３２も引っ張られる。ここで、接合片３６は、掩蓋片３２の先端辺６４と第１の切込線７０との間に連接しているので、側辺６６の先端辺６４と第１の切込線７０との間が引き上げられる。その結果、第１の切込線７０に力が加わり、切断される。なお、接合片３６は、側辺６６で掩蓋片３２の第１の切込線７０と折曲辺６２との間にも連接されてもよい。なお、接合片３６が、第１の切込線７０と折曲辺６２との間よりも、先端辺６４と第１の切込線７０との間に、より長く連接していれば、接合片３６に加えた力は先端辺６４と第１の切込線７０との間に多く作用し、結果として第１の切込線７０に力が加わり、切断される。このように、接合片３６が、第１の切込線７０と折曲辺６２との間にも連接されるものの、先端辺６４と第１の切込線７０との間に、より長く連接される状態も、第１の切込線７０と先端辺６４との間の側辺６６に連接されるという概念に含まれるものとする。
【００２８】
第１の切込線７０が切断され、さらに接合片３６を持ち上げると、第２の切込線７２が切断される。特に、接合片３６を持ち上げつつ先端辺６４側に引くようにすることで、より確実に第２の切込線７２が切断される。第２の切込線７２が切断された結果として、第１の切込線７０、第２の切込線７２および先端辺６４に囲まれた分離部３８が掩蓋片３２の残りの部分から切り離される。その際に、分離部３８は切断部材５０からも分離されるが、切断部材５０がかしめにより掩蓋片３２、すなわち分離部３８に固着されていると、きれいに分離される。特に、かしめの突起の先端で、曲げられて掩蓋片３２に食い込む部分が小さく形成されたかしめであると、外し易くて、きれいに分離し易い。また、かしめが切断部材５０の長手方向に分布し、分離部３８にたとえば１箇所あるいは２箇所程度のかしめによる固着部７８しか配列されていないと、容易にかしめが外れて切断部材５０と分離部３８とが分離されるので好ましい。
【００２９】
図５に示すように、分離部３８が切り離されることにより、その部分の切断部材５０がむき出しとなる。図５は、分離部３８が切り離されたフィルム分配ケース１０の展開図である。このように、切断部材５０の一部をむき出しにすることにより、切断部材５０の鋸歯の部分ではなく、平らな幅中央部分をつまみやすい。よって、切断部材５０だけを手で容易に、すなわち安全につまむことができる。
【００３０】
そこで、図６に示すように、フィルム分配ケース１０のシートを裏返し、切断部材５０を上側にする。図６は、切断部材５０を上側にした、分離部３８が切り離されたフィルム分配ケース１０の展開図である。そこで、切断部材５０のむき出しになった部分を片手でつかみ、他の手でフィルム分配ケース１０のシートを押えて、切断部材５０を片側より徐々に引き上げる。すると、切断部材５０を引き上げる力の大半は、一つの固着部７８に作用することになるので、かしめが外れて、切断部材５０は徐々に掩蓋片３２から分離される。
【００３１】
さらに、図７に示すように、切断部材５０を、切断部材５０が掩蓋片３２に固着されている方向（図中の矢印方向）に折り曲げるように引き上げることにより、かしめがより外れ易くなる。図７は、切断部材５０を、切断部材５０が掩蓋片３２に固着されている方向に折り曲げるように引き上げる状態での、フィルム分配ケース１０の展開図である。このように、切断部材５０を、容易に、安全に、完全に箱から分離することができる。したがって、金属製の不燃材である切断部材５０を、紙製の箱から分離することができ、廃棄処理あるいは用紙の再生処理が容易となる。
【００３２】
これまでの説明では、切断部材５０は、金属製であるとして説明したが、プラスチック製、セラミック製等の切断部材であってもよい。また、切断部材５０はかしめにより掩蓋片３２に固着されるものとして説明したが、接着剤での接着等、他の周知の固着方法であってもよい。
【図面の簡単な説明】
【００３３】
【図１】フィルム入りケースを説明するための斜視図である。
【図２】フィルム分配ケースの組み立て前の展開図である。
【図３】使用済みのフィルム分配ケースの展開図である。
【図４】接合片をつまみ上げる状態でのフィルム分配ケースの展開図である。
【図５】分離部が切り離されたフィルム分配ケースの展開図である。
【図６】切断部材を上側にした、分離部が切り離されたフィルム分配ケースの展開図である。
【図７】切断部材を、切断部材が掩蓋片に固着されている方向に折り曲げるように引き上げる状態での、フィルム分配ケースの展開図である。
【符号の説明】
【００３４】
１  巻回体
２  フィルム
１０  フィルム分配ケース
１２  箱本体
１４  底板
１６  前板
１８  後板
２０  脇板
２６  開口された面
３０  蓋板
３２  掩蓋片
３４  側蓋片
３６  接合片
３８  分離部
４０  切取片
４２、４４  接着片
５０  切断部材
６０  蝶番辺
６２  折曲辺
６４  先端辺
６６  側辺
６８  脇辺
７０  第１の切込線
７２  第２の切込線
７６  切取線
７８  固着部
１００  フィルム入りケース
【図１】
2008280076.tif 000003
【図２】
2008280076.tif 000004
【図３】
2008280076.tif 000005
【図４】
2008280076.tif 000006
【図５】
2008280076.tif 000007
【図６】
2008280076.tif 000008
【図７】
2008280076.tif 000009